(57)【要約】【課題】プロジェクターの位置（姿勢）の微調整が容易に行え、見栄えの向上と薄型化が可能な天吊り装置を提供する。【解決手段】天吊り装置１は、天井面Ｓに固定される第１プレート１０と、第１プレート１０に係着され、第１回動軸Ａ１を中心に水平方向の調整を行う第２プレート２０と、第２プレート２０に係着され、第２回動軸Ａ２を中心に左右方向の調整を行う第３プレート３０と、プロジェクター７を固定し、第３プレート３０に係着され、第３回動軸Ａ３を中心に上下方向の調整を行う第４プレート４０と、を備える。そして、天井面Ｓと、第４プレート４０に固定されるプロジェクター７との間には、第１プレート１０と第２プレート２０と第３プレート３０との側面を覆うカバー部材６０が設置されている。【選択図】図２
2013218048.tif 000002
【特許請求の範囲】
【請求項１】
プロジェクター用の天吊り装置であって、
天井面に固定される第１プレートと、
前記第１プレートと共に前記天井面に設置され、前記第１プレートに係着されて上下方向に回動軸を有する第１回動軸を形成し、当該第１回動軸を中心に水平方向の調整を行う第２プレートと、
前記第２プレートに係着されて前後方向に回動軸を有する第２回動軸を形成し、当該第２回動軸を中心に左右方向の調整を行う第３プレートと、
前記プロジェクターを固定し、前記第３プレートに係着されて左右方向に回動軸を有する第３回動軸を形成し、当該第３回動軸を中心に上下方向の調整を行う第４プレートと、を備え、
前記天井面と、前記第４プレートに固定される前記プロジェクターとの間には、前記第１プレートと前記第２プレートと前記第３プレートとの側面を覆うカバー部材が設置されていることを特徴とする天吊り装置。
【請求項２】
請求項１に記載の天吊り装置であって、
前記カバー部材は、前記調整による前記第２プレート、前記第３プレート、および前記第４プレートの可動範囲を避ける大きさで構成されていることを特徴とする天吊り装置。
【請求項３】
請求項１または請求項２に記載の天吊り装置であって、
前記カバー部材は、前記調整を行う際に操作する部材を覆っていることを特徴とする天吊り装置。
【請求項４】
請求項１〜請求項３のいずれか一項に記載の天吊り装置であって、
前記第１プレートから前記第４プレートまでのいずれかのプレートは、前記カバー部材を固定する固定部を備え、
前記カバー部材は、前方向の前記側面を覆う第１カバーと、後方向の前記側面を覆う第２カバーとを備え、
前記第１カバーと前記第２カバーは、左右方向で、前記固定部に固定されていることを特徴とする天吊り装置。
【請求項５】
請求項１〜請求項４のいずれか一項に記載の天吊り装置であって、
前記カバー部材は、合成樹脂材料で構成されていることを特徴とする天吊り装置。
【発明の詳細な説明】
【技術分野】
【０００１】
本発明は、プロジェクター用の天吊り装置に関する。
【背景技術】
【０００２】
従来、プロジェクター用の天吊り装置は、天井等に設置されて、プロジェクターを固定することにより、プロジェクターからの画像光を、壁面に設置されたスクリーンや、起立式のスクリーン等に投写させている。また、天吊り装置は、市場の要望等から、目立たせないように構成されている。そのため、天吊り装置は、プロジェクターを天井面に極力近づける構造として、見栄えを向上させている。
【０００３】
特許文献１では、ビデオプロジェクターの固定装置として、ビデオプロジェクターを固定支持する支持体に対して取り付け可能な固定側部材と、ビデオプロジェクター本体を取り付ける本体側部材を備え、固定側部材と本体側部材の間に介装される姿勢変更機構により、固定側部材に対して本体側部材の取り付け姿勢を変更して固定できるビデオプロジェクター固定装置で、姿勢変更機構が、固定側部材と本体側部材のいずれか一方の部材に連結固定されたボールと他方の部材に連結固定された被押圧部材、および、ボールを被押圧部材に押し付けて固定する押圧部材を備え、かつ押圧部材を押し付け操作するための操作レバーが設けられていることが開示されている。
【０００４】
特許文献２では、天吊り装置として、一対の案内部と案内部の端部に形成される一対の第１保持部とを有する第１基板と、案内部に対して両端近傍を掛着して摺動し、第１保持部に回動自在に保持される第１保持部材を有してプロジェクターを保持する第２基板と、を備えることが開示されている。
【０００５】
特許文献３では、プロジェクター天吊り装置として、天井側に取り付けられる天井側固定部材と、プロジェクター側に取り付けられるプロジェクター側固定部材と、天井側固定部材およびプロジェクター側固定部材を連結する連結部材と、プロジェクターの向きおよび姿勢を調整するための向き／姿勢調整装置とを備えることが開示されている。
【先行技術文献】
【特許文献】
【０００６】
【特許文献１】特開２００５−１７２９３５号公報
【特許文献２】特開２０１１−１３２６７号公報
【特許文献３】特開２００９−２０４９０２号公報
【発明の概要】
【発明が解決しようとする課題】
【０００７】
特許文献１の固定装置や、特許文献２の天吊り装置は、ケーブルの収納経路は開示されていないため、天井（天井面）とプロジェクターとの間は、ケーブルが全て露出した状態となる可能性がある。また、固定装置や天吊り装置を構成する構成部材が露出した状態となっている。これらにより、家庭やオフィス等で、固定装置または天吊り装置を設置した場合、見栄えが悪くなるという課題がある。また、特許文献３の天吊り装置は、連結部材の管状部の内部がケーブルの配線経路となっているが、天吊り装置を構成する構成部材が、特許文献１，２と同様に、露出した状態となる。そのため、家庭やオフィス等で、天吊り装置を設置した場合、同様に、見栄えが悪くなるという課題がある。また、天吊り装置を構成する構成部材が露出した状態では、構成部材に塵埃が付着することにより、見栄えが悪くなることや、塵埃の清掃がし難くなるという課題がある。
【０００８】
従って、プロジェクターの位置（姿勢）の微調整が容易に行え、見栄えの向上と薄型化が可能な天吊り装置が要望されていた。
【課題を解決するための手段】
【０００９】
本発明は、上述した課題の少なくとも一部を解決するためになされたものであり、以下の形態または適用例として実現することが可能である。
【００１０】
［適用例１］本適用例に係る天吊り装置は、プロジェクター用の天吊り装置であって、（ａ）天井面に固定される第１プレートと、（ｂ）第１プレートと共に天井面に設置され、第１プレートに係着されて上下方向に回動軸を有する第１回動軸を形成し、第１回動軸を中心に水平方向の調整を行う第２プレートと、（ｃ）第２プレートに係着されて前後方向に回動軸を有する第２回動軸を形成し、第２回動軸を中心に左右方向の調整を行う第３プレートと、（ｄ）プロジェクターを固定し、第３プレートに係着されて左右方向に回動軸を有する第３回動軸を形成し、第３回動軸を中心に上下方向の調整を行う第４プレートと、を備え、（ｅ）天井面と、第４プレートに固定されるプロジェクターとの間には、第１プレートと第２プレートと第３プレートとの側面を覆うカバー部材が設置されていることを特徴とする。
【００１１】
このような天吊り装置によれば、第１プレートから第４プレートまでの４つのプレートによりプロジェクターを天井面に設置する。また、第１プレートと第２プレートは、天井面に設置される。そして、第２プレートは、第１プレートに係着されて上下方向に回動軸を有して形成される第１回動軸を中心に水平方向の調整を行う。また、第３プレートは、第２プレートに係着されて前後方向に回動軸を有して形成される第２回動軸を中心に左右方向の調整を行う。第４プレートは、プロジェクターを固定し、第３プレートに係着されて左右方向に回動軸を有して形成される第３回動軸を中心に上下方向の調整を行う。
【００１２】
このように、第１プレートから第４プレートまでの４つのプレートがそれぞれ係着して天吊り装置が構成されることにより、天吊り装置の薄型化を実現することができる。また、第１プレートと第２プレートとの係着で水平方向の調整を行い、第２プレートと第３プレートとの係着で左右方向の調整を行い、第３プレートと第４プレートとの係着で上下方向の調整を行う。従って、プロジェクターの位置（姿勢）に対し、水平方向、左右方向、上下方向の微調整を容易で確実に行うことができる。
【００１３】
また、カバー部材は、第１プレートと第２プレートと第３プレートとの側面を覆うことにより、第１プレート、第２プレート、第３プレートの露出した状態を防ぐことができるため、天吊り装置の見栄えを向上させることができる。
【００１４】
また、カバー部材により、第１プレート、第２プレート、第３プレートの露出した状態を防ぐことができるため、それぞれのプレートに塵埃が付着することを防止できる。これにより、天吊り装置の見栄えを維持することや、清掃を容易に行うことができる。
【００１５】
［適用例２］上記適用例に係る天吊り装置において、カバー部材は、調整による第２プレート、第３プレート、および第４プレートの可動範囲を避ける大きさで構成されていることが好ましい。
【００１６】
このような天吊り装置によれば、プロジェクターの位置（姿勢）に対して、水平方向、左右方向、上下方向の調整を行うことにより、第２プレートから第４プレートまでのそれぞれのプレートが移動した場合も、カバー部材が、それぞれのプレートの可動範囲を避ける大きさで構成されていることにより、調整後に、プレートにぶつかることなくカバー部材を設置することができる。従って、調整により各プレートが移動しても、各プレートを隠すことができるため、天吊り装置の見栄えを向上させることができる。
【００１７】
［適用例３］上記適用例に係る天吊り装置において、カバー部材は、調整を行う際に操作する部材を覆っていることが好ましい。
【００１８】
このような天吊り装置によれば、カバー部材は、調整を行う際に操作する部材を覆うことにより、当該部材を隠すことができる。従って、天吊り装置の見栄えを向上させることができる。また、カバー部材が調整を行う際に操作する部材を覆うことにより、引っ掛かり易い部分が少なくなるため、清掃を容易で安全に行うことができる。
【００１９】
［適用例４］上記適用例に係る天吊り装置において、第１プレートから第４プレートまでのいずれかのプレートは、カバー部材を固定する固定部を備え、カバー部材は、前方向の側面を覆う第１カバーと、後方向の側面を覆う第２カバーとを備え、第１カバーと第２カバーは、左右方向で、固定部に固定されていることが好ましい。
【００２０】
このような天吊り装置によれば、カバー部材は、前方向の側面を覆う第１カバーと、後方向の側面を覆う第２カバーとを備え、それぞれのカバーは、左右方向で固定部に固定される。これにより、第１カバーと第２カバーとの合わせ目を前方向や後方向ではなく、左右方向に位置させることができる。また、例えば、ネジ部材を用いて固定部に各カバーを固定する場合にも、ネジ部材の位置を左右方向に位置させることができる。これにより、見栄えを損なう可能性がある、合わせ目やネジ部材等を左右方向に位置させることにより、前方向や後方向の見栄えを向上させることができる。
【００２１】
［適用例５］上記適用例に係る天吊り装置において、カバー部材は、合成樹脂材料で構成されていることが好ましい。
【００２２】
このような天吊り装置によれば、カバー部材が合成樹脂材料で構成されることにより、カバー部材の加工性を向上させることができる。また、カバー部材のデザインの自由度を向上させることができる。
【図面の簡単な説明】
【００２３】
【図１】実施形態に係る天吊り装置を用いてプロジェクターを天井面に固定した状態を示す図。
【図２】天吊り装置を示す図。
【図３】カバー部材を設置する前の天吊り装置を示す図。
【図４】天吊り装置の分解図。
【図５】天吊り装置の分解図。
【図６】第１プレートと第２プレートとを天井面に設置した斜視図。
【図７】第３プレートを第２プレートに設置する場合の設置方法を示す斜視図。
【図８】プロジェクターを固定した第４プレートを第３プレートに設置する場合の設置方法を示す斜視図。
【図９】プロジェクターの設置位置に対する上下方向の調整方法を示す図。
【図１０】プロジェクターの設置位置に対する水平方向の調整方法を示す図。
【図１１】プロジェクターの設置位置に対する左右方向の調整方法を示す図。
【図１２】カバー部材を第２プレートに設置する方法を示す斜視図。
【発明を実施するための形態】
【００２４】
以下、実施形態を図面に基づいて説明する。
（実施形態）
【００２５】
図１は、実施形態に係る天吊り装置１を用いてプロジェクター７を天井面Ｓに固定した状態を示す図であり、図１（ａ）は、天吊り装置１を前方向から見た正面図であり、図１（ｂ）は、天吊り装置１を左方向から見た側面図である。図１を参照して、本実施形態の天吊り装置１を説明する。
【００２６】
本実施形態の天吊り装置１は、図１に示すように、プロジェクター７を天井面Ｓに吊り下げる装置である。また、天吊り装置１は、吊り下げたプロジェクター７の取り付け位置（姿勢）を調整し、スクリーン（図示省略）の所定の位置に、投写される画像の位置を合わせる装置である。
【００２７】
本実施形態のプロジェクター７は、光源（図示省略）から射出された光束を、画像信号に基づき、光変調素子（図示省略）で変調して光学像を形成し、形成した光学像を、投写レンズ７０２を介して画像光としてスクリーン等に投写する装置である。
【００２８】
なお、本実施形態を説明する図面（図１および以降で説明する図）において、天井面Ｓの法線方向をＺ方向（上下方向）として、重力方向を−Ｚ方向（下方向）、重力方向とは逆方向を＋Ｚ方向（上方向）とする。また、Ｚ方向に直交し、プロジェクター７の投写レンズ７０２が画像光を投写する方向をＸ方向（前後方向）として、スクリーンが設置される方向を＋Ｘ方向（前方向）、逆方向を−Ｘ方向（後方向）とする。また、Ｚ方向（上下方向）とＸ方向（前後方向）とに直交する方向をＹ方向（左右方向）として、図１（ａ）に示す正面から見たプロジェクター７に向き合い、左手方向を−Ｙ方向（左方向）、右手方向を＋Ｙ方向（右方向）とする。なお、方向を表すＸ（左右），Ｙ（前後），Ｚ（上下）は、以降の説明において適宜使用する。
【００２９】
プロジェクター７は、略直方体形状の外装筺体７０１で覆われている。外装筺体７０１内部には、上述した光変調素子等を収容する光学ユニット（図示省略）や、プロジェクター７の動作制御を行う制御部を含む回路構成部（図示省略）等を備えている。
【００３０】
プロジェクター７は、机上面に設置して使用される場合の姿勢に対して、天井面Ｓに設置（天吊り）して使用される場合には、上面７ａと下面７ｂとが逆転した姿勢で天吊り装置１に設置される。詳細には、プロジェクター７の下面７ｂが上側（上面７ａが下側）となり、下面７ｂに設置されている天吊り用の脚部７０７が天吊り装置１の第４プレート４０とネジ固定されることで、天吊り装置１に固定される。また、天吊り装置１は、プロジェクター７の下面７ｂの略中央を保持し固定する。
【００３１】
なお、プロジェクター７の上面７ａには、操作入力を行うスイッチ部（図示省略）等が設置されている。プロジェクター７の前面７ｃには、中央に投写レンズ７０２が設置されている。投写レンズ７０２から射出される画像光は、前方向に設置されたスクリーンに向かって投写される。
【００３２】
また、プロジェクター７が天吊りされた状態において、投写レンズ７０２の右側には、吸気口７０３が設置され、左側には、排気口７０４が設置されている。また、前面７ｃおよび後面７ｄには、リモートコントローラー（リモコン）からの操作信号を受信する信号受信部（図示省略）が設置されている。プロジェクター７の後面７ｄには、インターフェイス部７０５が備えられ、各種ケーブルＣが接続されている。
【００３３】
なお、本実施形態では、天吊り装置１を設置する前の状態において、インターフェイス部７０５に接続する各種ケーブルＣは、天井内部を経由して、天井面Ｓに開口された開口部（図示省略）から延出し、下方向（−Ｚ方向）に垂れ下がった状態としている。この状態で、天吊り装置１は、天井面Ｓの開口部に合わせて設置される。また、開口部から垂れ下がっている各種ケーブルＣは、天吊り装置１内部を挿通させた後、インターフェイス部７０５に接続される。なお、天吊り装置１内部でのケーブルＣの引き回しに関しての詳細は後述する。
【００３４】
図２は、天吊り装置１を示す図であり、図２（ａ）は、天吊り装置１を天井面Ｓ側（＋Ｚ方向）から見た斜視図であり、図２（ｂ）は、天吊り装置１を前方向（＋Ｘ方向）から見た正面図であり、図２（ｃ）は、天吊り装置１を左方向（−Ｙ方向）から見た側面図である。図３は、カバー部材６０を設置する前の天吊り装置１を示す図であり、図３（ａ）は、天吊り装置１を天井面Ｓ側（＋Ｚ方向）から見た斜視図であり、図３（ｂ）は、天吊り装置１を前方向（＋Ｘ方向）から見た正面図であり、図３（ｃ）は、天吊り装置１を左方向（−Ｙ方向）から見た側面図である。図２、図３を参照して、本実施形態の天吊り装置１の外観的構成を説明する。
【００３５】
図２に示すように、天吊り装置１は、第１プレート１０、第２プレート２０、第３プレート３０、および第４プレート４０の４つのプレートと、カバー部材６０等により構成されている。また、４つのプレートは、略矩形状をなし、それぞれ金属板金の曲げ加工等により形成されている。
【００３６】
天吊り装置１は、第１プレート１０、第２プレート２０、第３プレート３０が天井面Ｓ側に設置され、プロジェクター７を固定した第４プレート４０を第３プレート３０に引掛ける（係着する）構成となっている。なお、詳細は後述するが、第１プレート１０と第２プレート２０は、天井面Ｓに設置される。そして、第２プレート２０は第１プレート１０と係着する。また、第３プレート３０は第２プレート２０と係着する。そして、第４プレート４０が第３プレート３０に係着する。
【００３７】
そして、天吊り装置１は、詳細は後述するが、第１プレート１０に対して後述する第１回動軸Ａ１（図４、図６参照）を中心に第２プレート２０を回動することで水平方向（ＸＹ平面方向）の調整を行う。また、第２プレート２０に対して後述する第２回動軸Ａ２（図４、図７（ｂ）参照）を中心に第３プレート３０を回動することで左右方向（ＹＺ平面方向）の調整を行う。また、第３プレート３０に対して後述する第３回動軸Ａ３（図４参照）を中心に第４プレート４０を回動することで上下方向（ＸＺ平面方向）の調整を行う。
【００３８】
天吊り装置１は、第１プレート１０から、プロジェクター７を固定した第４プレート４０までをそれぞれ組み立てた後、プロジェクター７の位置調整を行う構成となっている。そして、天吊り装置１は、位置調整完了後、図２に示すように、第１プレート１０から第３プレート３０までの４方向の側面を覆うように、カバー部材６０を設置する構成となっている。なお、カバー部材６０に関しての詳細は後述する。
【００３９】
図４、図５は、天吊り装置１の分解図である。詳細には、図４は、第１プレート１０から第３プレート３０、およびカバー部材６０を示す分解図である。図５は、第４プレート４０と、プロジェクター７との分解図である。図５では、天吊り装置１（第４プレート４０）に固定されるプロジェクター７も図示している。
【００４０】
図６は、第１プレート１０と第２プレート２０とを天井面Ｓに設置した斜視図である。なお、図６は、円筒部１０２と第１開口部２０２との係合（係着）関係を示す断面と、当接部１０９の周辺を示す断面とを併せて、拡大図Ｇとして図示している。図７は、第３プレート３０を第２プレート２０に設置（係着）する場合の設置方法を示す斜視図であり、図７（ａ）は、第３プレート３０を第２プレート２０に設置（係着）する途中の状態を示す斜視図であり、図７（ｂ）は、第３プレート３０を第２プレート２０に設置（係着）した状態を示す斜視図である。
図４〜図７を参照して、天吊り装置１の構成と設置方法を説明する。
【００４１】
図４、図５に示すように、天吊り装置１は、４つのプレート（第１プレート１０、第２プレート２０、第３プレート３０、第４プレート４０）で構成されている。また、前述したように、第１プレート１０、第２プレート２０、第３プレート３０が天井面Ｓ側に設置され、プロジェクター７を固定した第４プレート４０を第３プレート３０に引掛ける（係着する）構成となっている。
【００４２】
図４に示すように、第１プレート１０は、天井面Ｓに設置され、天吊り装置１のベースとなる部材である。第１プレート１０は、板金の曲げ加工等で略矩形状に構成されている。第１プレート１０は、矩形状の第１プレート本体１０１の中央部に、下方向（−Ｚ方向）に円筒状に突出する円筒部１０２が形成されている。なお、本実施形態の円筒部１０２は、バーリング加工により形成されている。また、第１プレート本体１０１には、円筒部１０２を中心としてその周囲に、円筒部１０２の中心を同心円の中心として同心円状に形成される長孔状の各種の貫通孔１０３が、所定のピッチで複数形成されている。
【００４３】
また、図４に示すように、第１プレート本体１０１の４つのコーナー部近傍には、プレス加工によって下方向（−Ｚ方向）に一段下がって形成される当接部１０９がそれぞれ１つ形成されている。そして、４つの当接部１０９、詳細には、当接部１０９の端面１０９ｂ（図６の拡大図Ｇ参照）は、第１プレート１０が第２プレート２０と係合する際に、第２プレート２０の上面２０１ａに当接する。
【００４４】
また、図４に示すように、第１プレート１０は、第１プレート本体１０１の４つのコーナー部で、前後方向（Ｘ軸方向）には、下方向（−Ｚ方向）に曲折された４つの片部１０４（前方向の片部１０４ａ、後方向の片部１０４ｂ）が形成されている。この片部１０４のうち、前方向（＋Ｘ方向）となる２つの片部１０４ａには、ネジ孔１０５が１つずつ形成されている。ネジ孔１０５は、後述する第１回動軸Ａ１（図６参照）に略垂直となる向きに形成されている。
【００４５】
図４に示すように、第２プレート２０は、第１プレート１０に重ねられて、天井面Ｓに固定される部材である。また、第２プレート２０は、第１プレート１０と共に、プロジェクター７の姿勢における水平方向の微調整を行う部材である。
【００４６】
図４に示すように、第２プレート２０は、板金の曲げ加工等で略矩形状に構成されている。第２プレート２０は、矩形状の第２プレート本体２０１の中央部に、円形状に開口する第１開口部２０２が形成されている。第１開口部２０２は、第１プレート１０の円筒部１０２に相対して形成されている。
【００４７】
第２プレート本体２０１には、第１開口部２０２を中心としてその周囲に、第１開口部２０２の中心を同心円の中心として同心円状に形成される長孔状の各種の貫通孔２０３が、所定のピッチで複数形成されている。貫通孔２０３は、第１プレート１０の貫通孔１０３に相対して形成されている。
【００４８】
また、第２プレート２０は、第２プレート本体２０１の前後方向（Ｘ軸方向）の端部に、下方向（−Ｚ方向）に曲折された２つの片部２０４が形成されている。この２つの片部２０４（前方向の片部２０４ａ、後方向の片部２０４ｂ）には、第１開口部２０２の中心を通りＸＺ平面上に略一致する中央部に孔部２０５が形成されている。また、孔部２０５に対応する２つの片部２０４の内面側には、図６、図７（ａ）に示すように、ネジ切りされたナット２０６がそれぞれ溶接されている。
【００４９】
また、２つの片部２０４には、孔部２０５を中心として左右方向に略対称に、ネジ孔２０７がそれぞれ形成されている。図４、図６に示すように、前方向の片部２０４ａには、ネジ孔２０７ａが形成され、後方向の片部２０４ｂには、ネジ孔２０７ｂが形成される。なお、図７（ａ）に示すように、後方向の片部２０４ｂのネジ孔２０７ｂには、円柱状のネジ頭を有するネジ部材ＳＣ１が後方向から螺合された状態となっている。
【００５０】
なお、前方向の片部２０４ａのネジ孔２０７ａは、螺合部を構成している。そして、ネジ孔２０７ａには、左右方向の調整を行う際に使用される後述するネジ部材ＳＣ３（図７（ｂ）参照）が螺合される。なお、ネジ部材ＳＣ３と、螺合部としてのネジ孔２０７ａは、後述する第２回動軸Ａ２（図７（ｂ）参照）に略平行に設置される。
【００５１】
また、図４に示すように、第２プレート本体２０１の左右方向（Ｙ軸方向）の端部で、前後方向（Ｘ軸方向）には、第２プレート本体２０１から面方向に延出した後、下方向（−Ｚ方向）に曲折された２つの片部２０８がそれぞれ形成されている。この片部２０８には、それぞれネジ孔２０９が１つずつ形成されている。この片部２０８とネジ孔２０９は、後述するカバー部材６０を固定する固定部を構成している。
【００５２】
次に、図６を参照して、第１プレート１０と第２プレート２０との天井面Ｓへの設置方法に関して説明する。
【００５３】
図６は、天吊り装置１を下方向から見上げる状態の斜視図であり、天井面Ｓの図示は省いている。図６に示すように、第１プレート１０は、第１プレート本体１０１の上面１０１ａを天井面Ｓに接触させて設置される。なお、第１プレート１０を設置する前の天井面Ｓには開口部（図示省略）が形成されており、天井内部を経由してきた各種のケーブルＣが、この開口部から下方向に垂れ下がった状態となっている。
【００５４】
第１プレート１０を天井面Ｓに設置する場合、最初に、図６に示すように、第２プレート２０を第１プレート１０の内側に重ね合わせる。その際、第２プレート２０の第１開口部２０２は、第１プレート１０の円筒部１０２を挿通させることにより、円筒部１０２の外周を摺動可能とする。なお、円筒部１０２と第１開口部２０２とが摺動可能に係合（係着）することで、上下方向（Ｚ軸方向）に回動軸を有する第１回動軸Ａ１が形成される。
【００５５】
次に、開口部から垂れ下がったケーブルＣを、図６に示すように、円筒部１０２と第１開口部２０２とに挿通する。そして、第１プレート本体１０１の前方向端部に形成される切り欠き部１０８を前方向（＋Ｘ方向）に向ける。そして、第１プレート１０の円筒部１０２を天井面Ｓの開口部に合わせるようにして、第１プレート本体１０１の上面１０１ａを天井面Ｓに接触させて設置する。
【００５６】
設置（固定）は、本実施形態では、開口部の周りの天井面Ｓに埋め込まれて天井面Ｓから延出しているアンカーボルトＢ１を用いて設置する。詳細には、最初に、アンカーボルトＢ１の位置に対応する第１プレート１０の貫通孔１０３と、貫通孔１０３に対応する第２プレート２０の貫通孔２０３とに、アンカーボルトＢ１を挿通する。次に、第２プレート本体２０１の下面２０１ｂ側からナットＮ１をアンカーボルトＢ１に螺合させて締め付け、第１プレート１０と第２プレート２０とを天井面ＳにナットＮ１で挟み込むことで固定する。
【００５７】
次に、第１プレート１０の２つの片部１０４ａに形成されるそれぞれのネジ孔１０５に、第１ネジ部材１０６をそれぞれ螺合させ、第１ネジ部材１０６のネジ先端部を対向する第２プレート２０の前方向の片部２０４ａに突き当てた状態とさせる。この、第１ネジ部材１０６は、水平方向の調整を行う際に使用される。また、第１ネジ部材１０６は、ネジ孔１０５に螺合させた場合、第１回動軸Ａ１に略垂直となる向きに螺合する。なお、第１ネジ部材１０６は、本実施形態では、六角穴付きボルトを使用している。
【００５８】
第１プレート１０と第２プレート２０とが天井面Ｓに設置された場合、図６の拡大図Ｇに示すように、４つの当接部１０９の端面１０９ｂは、それぞれ第２プレート２０の上面２０１ａに当接する。そして、円筒部１０２の先端面１０２ａは、第２プレート２０の下面２０１ｂと略同一の高さとなる。なお、水平方向の調整を行う際には、円筒部１０２の外周を第１開口部２０２が摺動し、また、第２プレート２０の上面２０１ａが当接部１０９の端面１０９ｂを摺動する。このような構成により、第１プレート１０と第２プレート２０とを重ねた場合にも、極力薄型化を図ると共に、係合および水平方向の調整を可能としている。
【００５９】
第３プレート３０は、第２プレート２０に係着され、また、第４プレート４０を係着する部材である。第３プレート３０は、図４に示すように、板金の曲げ加工等で略矩形状に構成されている。第３プレート３０は、矩形状の第３プレート本体３０１の中央部に、第２プレート２０の第１開口部２０２に相対する領域に、矩形状に開口する開口部３０２ａが形成されている。また、第３プレート本体３０１には、この開口部３０２ａに接続して、後方向に形成される半円形状の開口部３０２ｂが形成されている。
【００６０】
なお、開口部３０２ａと開口部３０２ｂは、第２開口部３０２を構成している。従って、第２開口部３０２は、第１開口部２０２に相対する領域に開口部３０２ａが形成され、また、後方向に偏って開口部３０２ｂが形成されている。なお、偏って形成された第２開口部３０２の後方向は、ケーブルＣが延出される側となる。
【００６１】
第３プレート３０は、開口部３０２ａの左右方向（Ｙ軸方向）の端部に、上方向（＋Ｚ方向）に曲折された片部３０４がそれぞれ形成されている。この２つの片部３０４の上端部には、後述する第４プレート４０の支軸４０４を保持する円弧形状の切り欠きを有する保持部３０５と、支軸４０４を保持部３０５に案内する案内部３０６がそれぞれ形成されている。なお、案内部３０６は、保持部３０５の後方向から保持部３０５に接続して形成されている。また、案内部３０６は、保持部３０５に向って下方向に下がるように傾斜して形成されている。
【００６２】
第３プレート３０は、第３プレート本体３０１の前後方向（Ｘ軸方向）の端部に、上方向（＋Ｚ方向）に曲折された２つの片部３０７が形成されている。この２つの片部３０７（前方向の片部３０７ａ、後方向の片部３０７ｂ）には、第２プレート２０の孔部２０５に相対する位置に、孔部３０８が形成されている。
【００６３】
２つの片部３０７には、孔部３０８を中心として左右方向に略対称に、また、孔部３０８を同心円の中心として同心円状に形成される長孔状の長孔部３０９がそれぞれ形成されている。詳細には、図４、図６に示すように、前方向の片部３０７ａには、長孔部３０９ａが形成され、後方向の片部３０７ｂには、長孔部３０９ｂが形成される。
【００６４】
長孔部３０９は、後述する第２回動軸Ａ２を中心に同心円状に形成されている。また、孔部３０８と長孔部３０９とは、第２プレート２０の孔部２０５とネジ孔２０７とに対応して形成されている。前方向の片部３０７ａに形成される長孔部３０９ａは、左右方向の調整を行う際に使用され、後述するネジ部材ＳＣ３を案内する。
【００６５】
第３プレート３０は、第３プレート本体３０１の左右方向（Ｙ軸方向）の端部に、上方向（＋Ｚ方向）に曲折された２つの片部３１０が形成されている。この２つの片部３１０には、片部３０４に有する円弧形状を有する保持部３０５の中心軸が片部３１０に交わる位置に丸形状の孔部３１１がそれぞれ形成されている。この孔部３１１は、保持部３０５に保持される後述する支軸４０４の位置を確認するための開口部として形成されている。また、２つの片部３１０には、孔部３１１を中心（保持部３０５の中心軸が片部３１０に交わる位置を中心）として、前後方向に対称にネジ孔３１２がそれぞれ形成されている。
【００６６】
片部３１０のネジ孔３１２は、螺合部を構成している。そして、ネジ孔３１２には、上下方向の調整を行う際に使用される後述するネジ部材ＳＣ４が螺合される。なお、ネジ部材ＳＣ４と、螺合部としてのネジ孔３１２は、後述する第３回動軸Ａ３に略平行に設置される。
【００６７】
第３プレート３０は、第３プレート本体３０１の前方向（＋Ｘ方向）の左右方向（Ｙ軸方向）のコーナー部に、ネジ孔３１３（図７（ｂ）参照）がそれぞれ形成されている。このネジ孔３１３には、第２ネジ部材３１５がそれぞれ螺合される。
【００６８】
第２ネジ部材３１５は、左右方向の調整を行う際に使用される部材である。第２ネジ部材３１５は、本実施形態では、ネジ加工されたネジ部３１６と、ネジ部３１６の一方の端部３１６ａ側に設置されてネジ部３１６を回動させるダイヤル部３１７とで構成されている。なお、ネジ部３１６の一方の端部３１６ａは、端面が曲面形状に形成されている。また、ダイヤル部３１７は、詳細には、ネジ部３１６の径より大きい径の円板状で、外周面が凹凸状に形成されている。
【００６９】
第２ネジ部材３１５は、第３プレート本体３０１の上方向（＋Ｚ方向）からネジ部３１６をネジ孔３１３に螺合させる。従って、ダイヤル部３１７は、第３プレート本体３０１の上方向（＋Ｚ方向）に位置する。そして、左右方向の調整を行う際には、このダイヤル部３１７を指先で回動させる。なお、第２ネジ部材３１５は、後述する第２回動軸Ａ２を中心とする左右方向で、第２回動軸Ａ２に略垂直となるように設置される。
【００７０】
第３プレート３０は、第３プレート本体３０１の前方向（＋Ｘ方向）で、片部３０７ａの内側の一部に、プレス加工を行い、上方向（＋Ｚ方向に）に隆起させた隆起部３２０が形成されている。この隆起部３２０の上部にネジ孔３２１が形成されている。このネジ孔３２１には、第３ネジ部材３２５が螺合される。
【００７１】
なお、第３ネジ部材３２５は、上下方向の調整を行う際に使用される部材である。第３ネジ部材３２５は、第２ネジ部材３１５と略同様に構成されている。詳細には、ネジ加工されたネジ部３２６と、ネジ部３２６の一方の端部３２６ａ側に設置されてネジ部３２６を回動させるダイヤル部３２７とで構成されている。なお、ネジ部３２６の一方の端部３２６ａは、端面が曲面形状に形成されている。
【００７２】
第３ネジ部材３２５は、第３プレート本体３０１の下方向（−Ｚ方向）からネジ部３２６をネジ孔３２１に螺合させる。従って、ダイヤル部３２７は、第３プレート本体３０１の下方向（−Ｚ方向）に位置する。そして、上下方向の調整を行う際には、このダイヤル部３２７を指先で回動させる。なお、第３ネジ部材３２５は、後述する第３回動軸Ａ３に略垂直となるように設置される。
【００７３】
次に、図７（ａ），（ｃ）を参照して、第３プレート３０を第２プレート２０に設置する設置方法に関して説明する。
【００７４】
第３プレート３０を第２プレート２０に設置する場合、最初に、図７（ａ）に示すように、第１プレート１０と第２プレート２０の円筒部１０２と第１開口部２０２を挿通させたケーブルＣを、第３プレート３０の第２開口部３０２に挿通させる。次に、第３プレート３０の第２ネジ部材３１５が設置される側を前方向（＋Ｘ方向）に向ける。そして、第２プレート２０の後方向の片部２０４ｂのネジ孔２０７ｂに螺合させた２つのネジ部材ＳＣ１のネジ頭に、図７（ａ）に矢印で示すように、第３プレート３０の後方向の片部３０７ｂに形成した２つの長孔部３０９ｂを引掛ける。
【００７５】
次に、第３プレート３０の孔部３０８を、第２プレート２０の孔部２０５に一致させ、孔部３０８および孔部２０５にネジ部材ＳＣ２を挿通させ、ネジ部材ＳＣ２を孔部２０５の内側に設置されるナット２０６にそれぞれ螺合させて固定する。孔部３０８および孔部２０５は貫通孔であり、第３プレート３０は、第２プレート２０に螺合して固定され、ネジ部材ＳＣ２を基準として回動可能となる。これにより、第３プレート３０は、第２プレート２０とのネジ部材ＳＣ２の係合（係着）により、前後方向（Ｘ方向）に回動軸を有する第２回動軸Ａ２が形成される。
【００７６】
次に、図７（ｂ）に示すように、第３プレート３０の長孔部３０９ａにそれぞれネジ部材ＳＣ３を挿通し、第２プレート２０のネジ孔２０７ａ（図６参照）に螺合させる。以上により、図７（ｂ）に示すように、第３プレート３０を第２プレート２０に設置することができる。
【００７７】
第４プレート４０は、プロジェクター７を固定し、第３プレート３０に係着する部材である。第４プレート４０は、図５に示すように、板金の曲げ加工等で略矩形状に構成されている。第４プレート４０は、矩形状の第４プレート本体４０１の中央部に、矩形状に開口する開口部４０２が形成されている。
【００７８】
第４プレート４０は、開口部４０２の左右方向（Ｙ軸方向）の端部に、上方向（＋Ｚ方向）に曲折された片部４０３がそれぞれ形成されている。この片部４０３の先端部には、左右方向（Ｙ軸方向）に軸を有し、円柱状に形成され、それぞれの片部４０３の外側に突出する支軸４０４が、それぞれ固着されている。この支軸４０４が、図４に示す、第３プレート３０の保持部３０５に回動可能に保持される。
【００７９】
また、開口部４０２の前後方向（Ｘ軸方向）の端部に、上方向（＋Ｚ方向）に曲折された片部４０５がそれぞれ形成されている。この片部４０５は、第４プレート４０の剛性を向上させる目的で形成されており、第４プレート本体４０１からの突出量は少なく形成されている。
【００８０】
第４プレート本体４０１には、開口部４０２の左右方向（Ｙ軸方向）で、切り起こし加工により、上方向（＋Ｚ方向）に曲折された片部４０６がそれぞれ形成されている。それぞれの片部４０６の中央部には、上端から下方に切り欠かれた切り欠き部４０７が形成されている。切り欠き部４０７は、左右方向でそれぞれの内側に位置する支軸４０４が左右方向から見た場合、視認できる大きさで形成されている。
【００８１】
２つの片部４０６には、支軸４０４を中心として前後方向に略対称に、また、支軸４０４を同心円の中心として同心円状に形成される長孔状の長孔部４０８が一対それぞれ形成されている。なお、長孔部４０８は、第３回動軸Ａ３を中心に同心円状に形成されている。また、第４プレート４０の長孔部４０８は、第３プレート３０のネジ孔３１２に対応している。また、長孔部４０８は、上下方向の調整を行う際に使用され、後述するネジ部材ＳＣ４を案内する。
【００８２】
第４プレート本体４０１には、４つのコーナー部に、複数の孔部４１０が、それぞれ形成されている。図５に示すように、プロジェクター７の下面７ｂに備える天吊り用の４つの脚部７０７に対応する孔部４１０に、上方向（＋Ｚ方向）からネジ部材ＳＣ５を挿通して、脚部７０７と螺合させて締め付けることにより、第４プレート４０にプロジェクター７を固定することができる。
【００８３】
第４プレート本体４０１には、前後方向（Ｘ軸方向）で、内側に入った部分に、上方向（＋Ｚ方向）に曲折された片部４１１がそれぞれ２ずつ形成されている。この片部４１１は、片部４０５と同様に、第４プレート４０の剛性を向上させる目的で形成されており、第４プレート本体４０１からの突出量は少なく形成されている。なお、この片部４１１は、後述する隙間確保部を構成している。
【００８４】
図８は、プロジェクター７を固定した第４プレート４０を第３プレート３０に設置（係着）する場合の設置方法を示す斜視図であり、図８（ａ）は、第４プレート４０を第３プレート３０の開口部３０２ａに挿入する状態の斜視図であり、図８（ｂ）は、支軸４０４を案内部３０６に案内させる状態の斜視図であり、図８（ｃ）は、支軸４０４を保持部３０５に保持させた状態の斜視図である。図８を参照して、第４プレート４０を第３プレート３０に設置する設置方法に関して説明する。
【００８５】
第４プレート４０を第３プレート３０に設置する場合、第４プレート４０に固定されたプロジェクター７を持ち上げて移動させることにより、第３プレート３０に設置する設置方法となる。最初に、図８（ａ）に示すように、第３プレート３０の第２開口部３０２から延出しているケーブルＣが、第４プレート４０の後方向（−Ｘ方向）となる状態で、第４プレート４０に固定したプロジェクター７を持ち上げていく。これにより、ケーブルＣは、第２開口部３０２の後側となる開口部３０２ｂと、第４プレート４０の後側の片部４１１との隙間から後方向（プロジェクター７の後面７ｄ側）に延出した状態となる。
【００８６】
プロジェクター７を持ち上げて、図８（ａ）に矢印で示すように、第４プレート４０の２つの片部４０３を、第３プレート３０の片部３０４の後方向となる開口部３０２ｂの領域に挿入する。次に、図８（ｂ）に示すように、第３プレート３０の開口部３０２ａに下方向から挿入した片部４０３に設置する支軸４０４を、前方向（＋Ｘ方向）に移動させ、第３プレート３０（片部３０４）の案内部３０６にそれぞれ載せる。次に、図８（ｂ）に矢印で示すように、支軸４０４を案内部３０６に沿って前方向に滑らせる。
【００８７】
支軸４０４を案内部３０６に沿って前方向に滑らせることにより、図８（ｃ）に示すように、支軸４０４が、保持部３０５にそれぞれ保持された状態となる。このように、保持部３０５に、支軸４０４を保持（係着）させることにより、左右方向（Ｙ軸と平行方向）に回動軸を有する第３回動軸Ａ３が形成される。
【００８８】
次に、図８（ｃ）、図３（ｃ）に示すように、第４プレート４０のそれぞれの長孔部４０８を、第３プレート３０のそれぞれ対応するネジ孔３１２（図７参照）に合わせ、長孔部４０８にそれぞれネジ部材ＳＣ４を挿通させて、ネジ部材ＳＣ４をネジ孔３１２に螺合して固定する。これにより、図８（ｃ）、図３（ｃ）に示すように、プロジェクター７を固定した第４プレート４０を第３プレート３０に設置することができる。
上述した第１プレート１０から第４プレート４０までの設置方法により、天吊り装置１を介して、プロジェクター７を天井面Ｓに固定することができる。
【００８９】
なお、支軸４０４を保持部３０５に保持させるまでの動作は、目隠し状態で行われる。このため、本実施形態では、支軸４０４が保持部３０５の適正な位置（支軸４０４の中心軸と保持部３０５の中心軸とが略一致する位置）に保持されているか否かを目視で確認できるように構成されている。
【００９０】
具体的には、天吊り装置１を構成する４つのプレートは金属製で、外面の色は黒色に加工されている。そして、２つの支軸４０４の外側の端面には、支軸４０４の中心軸に同心円で形成される白色の部材（図示省略）がそれぞれ貼着（または塗布）されている。そして、この白色の部材が、保持部３０５の中心軸の左右方向に形成される開口部としての孔部３１１（図４、図３（ｃ））を介して目視できるか否かを確認することで行われる。孔部３１１を介して白色の部材が確認できた場合には、支軸４０４は、保持部３０５の適正な位置に保持されていることになる。なお、孔部３１１の径は、白色の部材の径よりも小さく形成されている。
【００９１】
この状態で、ケーブルＣは、第３プレート３０と第４プレート４０との後方向（−Ｘ方向）で、上下方向（Ｚ方向）の隙間から延出した状態となっている。詳細には、図８（ａ）、図３（ｃ）に示すように、第３プレート３０の第２開口部３０２の周辺となる第３プレート本体３０１と、第４プレート４０の片部４１１との隙間Ｄ（図３（ｃ）参照）から後方向（−Ｘ方向）に延出した状態となっている。なお、この隙間Ｄの領域が、隙間確保部となる。
【００９２】
この状態のケーブルＣを、図１（ｂ）に示すように、後方向（−Ｘ方向）となるプロジェクター７の後面７ｄのインターフェイス部７０５に設置されるコネクト部７０６（図８（ａ）参照）に接続する。なお、ケーブルＣは、電源ケーブルの他、アナログＲＧＢケーブル、ビデオケーブル、ＤＶＩケーブル、ＨＤＭＩケーブル、ネットワークケーブル等、各種ケーブルが用いられ、映像機器、パソコン、またはネットワーク等に接続されている。
【００９３】
次に、天吊り装置１に設置されたプロジェクター７の位置（姿勢）を調整する調整方法に関して説明する。
【００９４】
本実施形態の天吊り装置１は、水平方向（ＸＹ平面方向）と、左右方向（ＹＺ平面方向）と、上下方向（ＸＺ平面方向）の調整を行うことができる。なお、調整を行う際は、プロジェクター７から映像を投写させて行う。そして、調整は、プロジェクター７から投写された投写映像の位置が、スクリーンに設定される投写位置と合致するように、プロジェクター７の位置（姿勢）を移動させて行う。
【００９５】
図９は、プロジェクター７の設置位置（姿勢）に対する上下方向の調整方法を示す図であり、図９（ａ）は、天吊り装置１を左方向（−Ｙ方向）から見た側面図であり、図９（ｂ）は、天吊り装置１を前方向（＋Ｘ方向）から見た正面図であり、図９（ｃ）は、天吊り装置１を斜め前方向（＋Ｘ方向）から見た斜視図である。図９を参照して、上下方向の調整方法を説明する。
【００９６】
最初に、図９（ａ）に示すように、第４プレート４０の左側面の２つのネジ部材ＳＣ４を回動して緩める。併せて、逆側（右側面）の２つのネジ部材ＳＣ４も緩める。次に、プロジェクター７を保持して上下方向（矢印Ａで示す）に移動させて、おおよその位置を合わせる。なお、後述する第３ネジ部材３２５で下方向に微調整を行うため、やや上側に合わせる。おおよその位置を合わせた後、４つのネジ部材ＳＣ４を締めて仮固定する。
【００９７】
次に、図９（ｃ）に示すように、第３ネジ部材３２５のダイヤル部３２７を矢印で示すように回動させて、ネジ部３２６の一方の端部３２６ａ端面を、第４プレート本体４０１の上面４０１ａに突き当てる。そして、更に同方向に回動することにより、プロジェクター７を下方向（−Ｚ方向）に移動させる。
【００９８】
なお、詳細には、第３ネジ部材３２５を回動して、第４プレート本体４０１の上面４０１ａに突き当てた後、更に同方向に回動することにより、第４プレート４０（プロジェクター７）を、第３回動軸Ａ３（図９（ｂ）に示す）を中心として、図９（ａ），（ｃ）に矢印Ｂで示すように、下方向（−Ｚ方向）に回転させて調整を行う。このように、上下方向の調整は、第３ネジ部材３２５の回動量により調整するため、微調整を行うことができる。本実施形態の第３ネジ部材３２５による上下方向の調整範囲は、約０°〜−８°としている。
【００９９】
第３ネジ部材３２５を回動して、下方向の微調整を行うことで、上下方向の位置を合わせた後、４つのネジ部材ＳＣ４を締め付けて本固定する。なお、調整終了後のネジ部材ＳＣ４による締め付けは、第４プレート４０に第３ネジ部材３２５を突き当てていることにより、調整後の位置ズレを防止するため、位置ズレを気にせずに容易に行うことができる。以上の方法により、上下方向の調整が完了する。
【０１００】
図１０は、プロジェクター７の設置位置（姿勢）に対する水平方向の調整方法を示す図であり、図１０（ａ）は、天吊り装置１を前方向（＋Ｘ方向）から見た正面図であり、図１０（ｂ）は、天吊り装置１を斜め前方向（＋Ｘ方向）から見た斜視図である。図１０を参照して、水平方向の調整方法を説明する。
【０１０１】
最初に、図１０に示すように、第１プレート１０の２つの前方向の片部１０４ａ（ネジ孔１０５）に螺合する第１ネジ部材１０６を回動して緩める。次に、プロジェクター７を保持して水平方向（図１０（ｂ）に矢印Ｅで示す）に回転させて、おおよその位置を合わせる。なお、この回転は、第１回動軸Ａ１を中心とした水平方向の回転となる。
【０１０２】
おおよその位置を合わせた後、２つの第１ネジ部材１０６を締めて、対向する第２プレート２０の前方向の片部２０４ａにネジ先端部を突き当てる。次に、第１ネジ部材１０６を更に同方向に回動することにより、第２プレート２０（結果的に、プロジェクター７）を、第１回動軸Ａ１を中心として、水平方向（図１０（ｂ）に矢印Ｃで示す）に回転させて調整を行う。このように、水平方向の調整は、第１ネジ部材１０６の回動量により調整するため、微調整を行うことができる。
【０１０３】
なお、本実施形態の天吊り装置１は、左方向の第１ネジ部材１０６を回動する（締める）ことで、プロジェクター７を水平に左方向に回転させ、右方向の第１ネジ部材１０６を回動する（締める）ことで、プロジェクター７を水平に右方向に回転させる。なお、本実施形態の第１ネジ部材１０６による水平方向の調整範囲は、約−３°〜＋３°としている。
【０１０４】
なお、調整終了後は、第２プレート２０に第１ネジ部材１０６を突き当てていることにより、調整後の位置ズレを防止して固定することができる。以上の方法により、水平方向の調整が完了する。
【０１０５】
図１１は、プロジェクター７の設置位置（姿勢）に対する左右方向の調整方法を示す図であり、図１１（ａ）は、天吊り装置１を左方向（−Ｙ方向）から見た側面図であり、図１１（ｂ）は、天吊り装置１を前方向（＋Ｘ方向）から見た正面図であり、図１１（ｃ）は、天吊り装置１を斜め前方向（＋Ｘ方向）から見た斜視図である。図１１を参照して、左右方向の傾きの調整方法を説明する。
【０１０６】
最初に、図１１（ｂ）に示すように、第３プレート３０の前方向の片部３０７ａの２つのネジ部材ＳＣ３を回動して緩める。次に、図１１（ａ）に示すように、第２ネジ部材３１５のダイヤル部３１７を、図１１（ｃ）に矢印で示すように回動させて、ネジ部３１６の一方の端部３１６ａ端面を、第２プレート本体２０１の下面２０１ｂに突き当てる。そして、更に同方向に回動することにより、第３プレート３０（結果的に、プロジェクター７）を、第２回動軸Ａ２（図１１（ａ）参照）を中心として、左右方向（図１１（ｂ），（ｃ）に矢印Ｆで示す）に回転させて調整を行う。このように、左右方向の傾きの調整は、第２ネジ部材３１５の回動量により調整するため、微調整を行うことができる。
【０１０７】
なお、本実施形態の天吊り装置１は、プロジェクター７を正面方向（＋Ｘ方向）から見た場合、左方向の第２ネジ部材３１５を回動する（締める）ことで、プロジェクター７を時計回転方向とは逆方向に回転させ、右方向の第１ネジ部材１０６を回動する（締める）ことで、プロジェクター７を時計回転方向に回転させる。なお、本実施形態の第２ネジ部材３１５による左右方向の傾きの調整範囲は、約−２．５°〜＋２．５°としている。
【０１０８】
第２ネジ部材３１５を回動して、左右方向の傾きの微調整を行うことで、左右方向の位置を合わせた後、２つのネジ部材ＳＣ３を締め付けて固定する。なお、調整終了後のネジ部材ＳＣ３による締め付けは、第２プレート２０に第２ネジ部材３１５を突き当てていることにより、調整後の位置ズレを防止するため、位置ズレを気にせずに容易に行うことができる。以上の方法により、左右方向の傾きの調整が完了する。
【０１０９】
図１２は、カバー部材６０を第２プレート２０に設置する方法を示す斜視図である。詳細には、図１２（ａ）は、第２カバー６２を第２プレート２０に設置する状態を示す斜視図であり、図１２（ｂ）は、第２カバー６２を第２プレート２０に設置した状態を示す斜視図であり、図１２（ｃ）は、第１カバー６１を第２プレート２０に設置する状態を示す斜視図であり、図１２（ｄ）は、第１カバー６１を第２プレート２０に設置した状態を示す斜視図である。図１〜図４、図１２を参照して、カバー部材６０の構成と、カバー部材６０を天吊り装置１に設置する設置方法に関して説明する。
【０１１０】
カバー部材６０は、天吊り装置１の化粧用および第１プレート１０から第４プレート４０までの機構の保護を目的に設置される部材である。カバー部材６０は、第１プレート１０から、プロジェクター７を固定した第４プレート４０までが天井面Ｓに設置され、プロジェクター７の設置位置の微調整が完了した後に取り付けられる。カバー部材６０は、本実施形態では、第１プレート１０から第３プレート３０までの外周部となる側面を、天井面Ｓからプロジェクター７までの範囲で覆う。
【０１１１】
図１、図２に示すように、カバー部材６０は、天吊り装置１の第１プレート１０から第４プレート４０までの調整による可動範囲を避ける大きさで構成されている。また、カバー部材６０は、天吊り装置１の調整を行う際に操作する部材を覆う大きさで構成されている。なお、調整する際に操作を行う部材とは、図４、図５に示すように、水平方向の調整を行う第１ネジ部材１０６と、左右方向の傾きの調整を行う第２ネジ部材３１５およびネジ部材ＳＣ３と、上下方向の調整を行う第３ネジ部材３２５およびネジ部材ＳＣ４である。
【０１１２】
図４に示すように、カバー部材６０は、本実施形態では、天吊り装置１（第１プレート１０〜第３プレート３０）の前方向の側面と左右方向の前側略半分の側面とを覆う第１カバー６１と、後方向の側面と左右方向の後側略半分の側面とを覆う第２カバー６２とで構成されている。第１カバー６１と第２カバー６２とは、本実施形態では、合成樹脂材料で形成される。第１カバー６１と第２カバー６２とは、どちらも平面視でＵ字形状に形成され、また、略対称に形成されている。
【０１１３】
第１カバー６１は、図４に示すように、Ｕ字形状に曲折された略板状の第１カバー本体６１１を有している。この第１カバー本体６１１の下端部には、内側に湾曲しながら下方向（−Ｚ方向）に延出するスカート部６１２が形成されている。また、第１カバー本体６１１の後方向（−Ｘ方向）の両端部近傍には、第１カバー６１を固定部に固定する際に、ネジ部材ＳＣ６を挿通する孔部６１３が１つずつ形成されている。
【０１１４】
第２カバー６２は、第１カバー６１に対してＹＺ面に略対称となるように構成されている。第２カバー６２は、図４に示すように、Ｕ字形状に曲折された略板状の第２カバー本体６２１を有している。この第２カバー本体６２１の下端部には、内側に湾曲しながら下方向（−Ｚ方向）に延出するスカート部６２２が形成されている。また、第２カバー本体６２１の前方向（＋Ｘ方向）に延びる左右方向の側面には、第２カバー６２を固定部に固定する際に、ネジ部材ＳＣ６を挿通する孔部６２３が１つずつ形成されている。
【０１１５】
なお、第２カバー本体６２１およびスカート部６２２の前方向（＋Ｘ方向）の両端部には、それぞれの外面から内側に入った凹部６２４が形成されている。凹部６２４は、第１カバー６１を第２カバー６２に合わせて設置した場合、第１カバー６１の内面側に重なる部分となり、第１カバー６１と第２カバー６２との合わせ目の隙間を隠している。
【０１１６】
次に、カバー部材６０の設置方法に関して説明する。
カバー部材６０は、プロジェクター７の位置調整完了後に設置される。そして、カバー部材６０を設置する際は、プロジェクター７からの画像光の投写を終了させた後に行う。
【０１１７】
カバー部材６０は、本実施形態では、第２プレート２０に構成される固定部に固定される。固定部は、図４に示すように、第２プレート２０の左右方向（Ｙ軸方向）端部に２つずつ形成される片部２０８と、片部２０８に形成されるネジ孔２０９とで構成されている。また、カバー部材６０の設置は、最初に第２カバー６２を設置して、次に第１カバー６１を設置する。
【０１１８】
図１２（ａ）に示すように、第２カバー６２の設置は、天吊り装置１（第１プレート１０〜第３プレート３０）に対して、後方向（第２プレート２０の片部３０７ｂ方向）から、第２カバー６２を、両端部を前方向（＋Ｘ方向）に向けて、矢印で示すように移動させる。前方向に向けて移動させた場合、第２カバー６２は、孔部６２３が、第２プレート２０の後側の片部２０８のネジ孔２０９に相対する位置で止まる。
【０１１９】
次に、図１２（ｂ）に示すように、ネジ部材ＳＣ６を孔部６２３に挿通して、内面側に相対する２つの片部２０８のネジ孔２０９に螺合させて締め付ける。これにより、第２カバー６２が、左右方向で第２プレート２０に固定（設置）される。なお、第２カバー６２を設置することにより、天吊り装置１（第１プレート１０〜第３プレート３０）の後方向の側面と左右方向の後側略半分の側面が覆われる。
【０１２０】
第１カバー６１の設置は、図１２（ｃ）に示すように、天吊り装置１（第１プレート１０〜第３プレート３０）に対して、前方向（第２プレート２０の片部３０７ａ方向）から、第１カバー６１を、両端部を後方向（−Ｘ方向）に向けて、矢印で示すように移動させる。後方向に向けて移動させた場合、第１カバー６１は、孔部６１３が、第２プレート２０の前側の片部２０８のネジ孔２０９に相対する位置で止まる。このとき、第１カバー６１の両端部は、第２カバー６２の凹部６２４の外面側に重なる。
【０１２１】
次に、図１２（ｄ）に示すように、ネジ部材ＳＣ６を孔部６１３に挿通して、内面側に相対する２つの片部２０８のネジ孔２０９に螺合させて締め付ける。これにより、第１カバー６１が、左右方向で第２プレート２０に固定（設置）される。なお、第１カバー６１を設置することにより、天吊り装置１（第１プレート１０〜第３プレート３０）の前方向の側面と左右方向の前側略半分の側面が覆われる。
以上により、図１２（ｄ）、図１、図２に示すように、天吊り装置１（第２プレート２０）へのカバー部材６０の設置（固定）が完了する。
【０１２２】
上述した実施形態によれば、以下の効果が得られる。
【０１２３】
本実施形態の天吊り装置１は、第１プレート１０から第４プレート４０までの４つのプレートにより構成されており、プロジェクター７を天井面Ｓに設置する。また、第１プレート１０と第２プレート２０は、天井面Ｓに設置される。そして、第２プレート２０は、第１プレート１０に係着されて上下方向に回動軸を有して形成される第１回動軸Ａ１を中心に水平方向の調整を行う。また、第３プレート３０は、第２プレート２０に係着されて前後方向に回動軸を有して形成される第２回動軸Ａ２を中心に左右方向の調整を行う。第４プレート４０は、プロジェクター７を固定し、第３プレート３０に係着されて左右方向に回動軸を有して形成される第３回動軸Ａ３を中心に上下方向の調整を行う。このように、第１プレート１０から第４プレート４０までの４つのプレートがそれぞれ係着して天吊り装置１が構成されることにより、天吊り装置１の薄型化を実現することができる。また、第１プレート１０と第２プレート２０との係着で水平方向の調整を行い、第２プレート２０と第３プレート３０との係着で左右方向の調整を行い、第３プレート３０と第４プレート４０との係着で上下方向の調整を行う。従って、プロジェクター７の位置（姿勢）に対し、水平方向、左右方向（左右方向の傾き）、上下方向の微調整を容易で確実に行うことができる。
【０１２４】
また、カバー部材６０は、第１プレート１０と第２プレート２０と第３プレート３０との側面を覆うことにより、第１プレート１０、第２プレート２０、第３プレート３０の露出した状態を防ぐことができるため、天吊り装置１の見栄えを向上させることができる。
【０１２５】
本実施形態の天吊り装置１によれば、プロジェクター７の位置（姿勢）に対して、水平方向、左右方向、上下方向の調整を行うことにより、第２プレート２０から第４プレート４０までのそれぞれのプレートが移動した場合も、カバー部材６０が、それぞれのプレートの可動範囲を避ける大きさで構成されていることにより、調整後に、プレートにぶつかることなくカバー部材６０を設置することができる。従って、調整により各プレートが移動しても、各プレートを隠すことができるため、天吊り装置１の見栄えを向上させることができる。
【０１２６】
本実施形態の天吊り装置１によれば、カバー部材６０は、調整を行う際に操作する部材を覆うことにより、調整を行う際に操作する部材を隠すことができる。従って、天吊り装置１の見栄えを向上させることができる。
【０１２７】
本実施形態の天吊り装置１によれば、カバー部材６０を備えることにより、第１プレート１０から第３プレート３０に塵埃が付着することを防止できるため、見栄えを維持することができる。また、天吊り装置１は、カバー部材６０を備えることにより、調整を行う際に操作する部材にも埃や油分等が進入することを防止できるため、天吊り装置１に固定されたプロジェクター７の調整後の位置を維持することができる。
【０１２８】
本実施形態の天吊り装置１を清掃する場合、天吊り装置１にカバー部材６０が備えられていることにより、引っ掛かり易い部分（調整を行う際に操作する部材等）が少なくなるため、清掃を容易で安全に行うことができる。
【０１２９】
本実施形態の天吊り装置１によれば、カバー部材６０は、前方向の側面を覆う第１カバー６１と、後方向の側面を覆う第２カバー６２とを備え、それぞれのカバーは、左右方向で固定部に固定される。これにより、第１カバー６１と第２カバー６２との合わせ目を前方向や後方向ではなく、左右方向に位置させることができる。また、ネジ部材ＳＣ６を用いて固定部に各カバーを固定する場合にも、ネジ部材ＳＣ６の位置を左右方向に位置させることができる。これにより、見栄えを損なう可能性がある、合わせ目やネジ部材ＳＣ６等を左右方向に位置させることにより、前方向や後方向の見栄えを向上させることができる。
【０１３０】
本実施形態の天吊り装置１によれば、カバー部材６０は、プロジェクター７の位置調整完了後に設置される。そして、カバー部材６０を設置する際は、プロジェクター７からの画像光の投写を終了させて行う。しかし、投写を終了させずにカバー部材６０の設置作業が行われた場合、本実施形態のように左右方向でネジ部材ＳＣ６による固定が行える場合には、例えば、前方向（投写レンズ７０２側）でネジ部材ＳＣ６を固定する場合に比べて、安全性を確保することができる。また、左右方向でネジ部材ＳＣ６による固定が行える場合には、例えば、後方向でネジ部材ＳＣ６を固定する場合に比べて、各種ケーブルＣに影響されずにカバー部材６０の固定作業を容易に行うことができる。
【０１３１】
本実施形態の天吊り装置１によれば、カバー部材６０は、合成樹脂材料で構成されていることにより、カバー部材６０の加工性を向上させることができる。また、カバー部材６０のデザインの自由度を向上させることができる。
【０１３２】
なお、上述した実施形態に限定されず、その要旨を逸脱しない範囲において種々の変更や改良などを加えて実施することが可能である。変形例を以下に述べる。
【０１３３】
前記実施形態の天吊り装置１において、カバー部材６０は、第１プレート１０と第２プレート２０と第３プレート３０との側面を覆う構成としている。しかし、第４プレート４０も含めて覆う構成としてもよい。
【０１３４】
前記実施形態の天吊り装置１において、カバー部材６０を固定する固定部は、第２プレート２０に構成されている。しかし、固定部は、第１プレート１０から第４プレート４０までのいずれかのプレートに構成されることでよい。
【０１３５】
前記実施形態の天吊り装置１において、カバー部材６０は、第１カバー６１と第２カバー６２との２つに分割されて構成されている。しかし、カバー部材６０は３つ以上に分割されて構成されていてもよい。
【０１３６】
前記実施形態の天吊り装置１において、カバー部材６０は合成樹脂材料で構成されている。しかし、これには限られず、例えば、金属材料で構成されていてもよい。また、カバー部材６０は木製であってもよい。
【０１３７】
前記実施形態の天吊り装置１において、カバー部材６０は、ネジ部材ＳＣ６により、固定部に固定される構成としている。しかし、ネジ部材ＳＣ６を用いずに、例えば、カバー部材６０と固定部との互いの係合により固定する構成としてもよい。
【符号の説明】
【０１３８】
１…天吊り装置、７…プロジェクター、１０…第１プレート、２０…第２プレート、３０…第３プレート、４０…第４プレート、６０…カバー部材、６１…第１カバー、６２…第２カバー、１０２…円筒部、１０６…第１ネジ部材、２０２…第１開口部、２０７ａ…ネジ孔、２０８…固定部を構成する片部、２０９…固定部を構成するネジ孔２０９、３０２…第２開口部、３０２ｂ…開口部、３０５…保持部、３０６…案内部、３０９ａ…長孔部、３１１…孔部、３１２…ネジ孔、３１５…第２ネジ部材、３１６…ネジ部、３１７…ダイヤル部、３２５…第３ねじ部材、３２６…ネジ部、３２７…ダイヤル部、４０４…支軸、４０８…長孔部、Ａ１…第１回動軸、Ａ２…第２回動軸、Ａ３…第３回動軸、Ｃ…ケーブル、Ｓ…天井面、ＳＣ２，ＳＣ３，ＳＣ４，ＳＣ６…ネジ部材。
【図１】
2013218048.tif 000003
【図２】
2013218048.tif 000004
【図３】
2013218048.tif 000005
【図４】
2013218048.tif 000006
【図５】
2013218048.tif 000007
【図６】
2013218048.tif 000008
【図７】
2013218048.tif 000009
【図８】
2013218048.tif 000010
【図９】
2013218048.tif 000011
【図１０】
2013218048.tif 000012
【図１１】
2013218048.tif 000013
【図１２】
2013218048.tif 000014